(57)【特許請求の範囲】
【請求項１】
低圧引込線を電力需要家の家屋等に引き込む架線工法において、引込線の端部に一端を結びつけた作業用ロープの他端を、引込点箇所まで梯子に登って引き上げ、当該箇所で、作業用ロープの他端を引込工具の滑車に巻き付け、前記引込工具の他端は引込点のラックに揺動自在に係止し、当該引込工具から導出した作業用ロープの他端部を引っ張って手繰り寄せ、作業用ロープ及びこれに続く引込線を前記ラックに近づけ、この状態で引込線の端部をラックに巻き付けて引き留める工法であって、前記引込工具は、前記滑車の回転軸を片持ち梁状に一側面で支持する支持プレートと、前記支持プレートの一側面に搖動可能に軸支され、前記滑車との間に前記作業用ロープを圧接固定可能な搖動圧接片と、前記回転軸の自由端側で前記滑車の外側面の少なくとも一部を被う位置へ離接可能となるように、前記支持プレートに搖動自在に軸支された搖動カバーとを備え、前記搖動圧接片は前記滑車に巻き付けた作業用ロープを引き込み方向にのみ移動規制する手段を有する構成としたことを特徴とする、電力需要家への低圧引込線の架線工法。
【請求項２】
電力需要家の家屋等に引き込んだ低圧引込線を、撤去する工法において、ラックに引き留めた引込線に作業用ロープの一端を結んで、他端を引込工具に巻き付け、当該引込工具の端部は揺動自在に前記ラックに係止し、この状態でラックに引き留めていた引込線の端部を切断し、当該作業用ロープの他端部を引込工具から送り出して作業用ロープを伸ばし、引込線を地上に下ろす工法であって、前記引込工具は、前記滑車の回転軸を片持ち梁状に一側面で支持する支持プレートと、前記支持プレートの一側面に搖動可能に軸支され、前記滑車との間に前記作業用ロープを圧接固定可能な搖動圧接片と、前記回転軸の自由端側で前記滑車の外側面の少なくとも一部を被う位置へ離接可能となるように、前記支持プレートに搖動自在に軸支された搖動カバーとを備え、前記搖動圧接片は前記滑車に巻き付けた作業用ロープを引き込み方向にのみ移動規制する手段及び当該搖動圧接片の移動規制を解除する手段を有する構成としたことを特徴とする、電力需要家への低圧引込線の撤去工法。
【請求項３】
引込線に一端が連結された作業用ロープの他端を滑車に掛けて手繰り寄せるものであり、前記滑車の回転軸を片持ち梁状に一側面で支持する支持プレートと、前記支持プレートの一側面に搖動可能に軸支され、前記滑車との間に前記作業用ロープを圧接固定可能な搖動圧接片と、前記回転軸の自由端側で前記滑車の外側面の少なくとも一部を被う位置へ離接可能となるように、前記支持プレートに搖動自在に軸支された搖動カバーとを備えたことを特徴とする、請求項１又は２に記載の工法に使用する引込工具。
【請求項４】
前記滑車に巻き付けた作業用ロープの引込方向にのみ回転規制するラチェット機構を前記滑車に設け、前記滑車を回転させるための工具を係止する係止部を設けたことを特徴とする、請求項３に記載の引込工具。
【請求項５】
低圧引込線を電力需要家の家屋等に引き込む架線工法において、引込線の端部に一端を結びつけた作業用ロープの他端を、引込点箇所まで梯子に登って引き上げ、当該箇所で、作業用ロープの他端を引込工具の滑車に巻き付け、前記引込工具の他端は引込点のラックに揺動自在に係止し、当該引込工具から導出した作業用ロープの他端部を引っ張って手繰り寄せ、作業用ロープ及びこれに続く引込線を前記ラックに近づけ、この状態で引込線の端部をラックに巻き付けて引き留める工法において使用する引込工具であって、当該引込工具は、前記滑車の回転軸を片持ち梁状に支持する支持プレートと、前記滑車の双方向のいずれかの回転を規制するラチェット機構と、前記支持プレートの一側面に軸支され、前記滑車との間に前記作業用ロープを圧接固定可能な圧接ローラと、前記回転軸の自由端側で前記滑車の外側面の少なくとも一部を被う位置へ離接可能となるように、前記支持プレートに搖動自在に軸支された搖動カバーとを備えたことを特徴とする、引込工具。
【請求項６】
電力需要家の家屋等に引き込んだ低圧引込線を、撤去する工法において、ラックに引き留めた引込線に作業用ロープの一端を結んで、他端を引込工具に巻き付け、当該引込工具の端部は揺動自在に前記ラックに係止し、この状態でラックに引き留めていた引込線の端部を切断し、当該作業用ロープの他端部を引込工具から送り出して作業用ロープを伸ばし、引込線を地上に下ろす工法において使用する引込工具であって、当該引込工具は、前記滑車の回転軸を片持ち梁状に支持する支持プレートと、前記滑車の双方向のいずれかの回転を規制するラチェット機構と、前記支持プレートの一側面に軸支され、前記滑車との間に前記作業用ロープを圧接固定可能な圧接ローラと、前記回転軸の自由端側で前記滑車の外側面の少なくとも一部を被う位置へ離接可能となるように、前記支持プレートに搖動自在に軸支された搖動カバーとを備えたことを特徴とする、引込工具。
【請求項７】
前記回転軸と平行に、前記滑車から前記作業用ロープの介装可能な間隔を空けて前記支持プレートの一側面に片持ち梁状に支持されたガイドピンを備え、前記搖動カバーには、前記回転軸の自由端に係合可能な軸受部と、前記ガイドピンの自由端に係合可能なガイドピン受部とを有することを特徴とする、請求項３〜６のいずれかに記載の引込工具。
【請求項８】
少なくとも、前記滑車に対する、前記作業用ロープの他端側の接触状態及び離間状態の境界位置は、閉状態における前記搖動カバーにより被われていることを特徴とする、請求項３〜７のいずれかに記載の引込工具。
【発明の詳細な説明】
【技術分野】
【０００１】
この発明は、最寄りの電柱から電力需要家の家屋等の引込点に低圧引込線を引き込む架線工法、当該引込線を撤去する工法及びこれらの工法に使用する引込工具に関するものである。
【背景技術】
【０００２】
従来、配電工事では、各電力需要家へ電気を新規又は容量変更のため、図１３及び図１４に示すように、最寄りの電柱１から住宅等の引込点２まで引込線３の新設、張替を行っている。前記住宅等の引込点２は、前記電力需要家の敷地内の家屋等４の壁４ａに設けたラック５である場合が多い。そして当該ラック５で引き留めた引込線３の端部に住宅等４の屋内線６を接続して家屋内に引き込みし、配電盤（図示省略）等に接続している。
【０００３】
この引込線３の新設、張替を行う箇所は、人の手が届かない高い位置にあるが、高所作業車を使えず、住宅敷地内で梯子を１台しかかけられない狭小地、傷つき易い住宅の壁等、作業を行う上で制約が多い。
【０００４】
従来、引込作業は、引込線３の一端を作り込んで、他端を地上から張り上げて架線する。電柱側、住宅側のどちら側を張り上げても良い。ただし、引込線３が他の住宅敷地を上空横断することがないように、電柱と電柱の間から分岐してから引き込む場合は、住宅の引込点２を破損させないように、住宅側を張り上げる作業手順となる。
【０００５】
この引込作業は、作業用ロープを用いて通信線等の空中の障害物を避けた後、図１５に示すように、電柱１側から引込線３を下し、引込線３の一端を作業用ロープ７で結んだあと、図１６に示すように、作業者は作業用ロープ７を持って住宅引込点２箇所へ立てかけた梯子８を上り、梯子８の上で作業用ロープ７を引き上げ、図１７に示すように、引込点２にあるラック５に作業用ロープ７をラック５に対して縦方向に巻き付けて仮止めをする。ラック５に巻き付けた際に作業用ロープ７に弛みが入るため、引込線３とラック５の位置が合わないときにはやり直しをする。
【０００６】
この状態で、図１８に示すように、引込線３の端部をラック５に巻いて折り返し、当該折り返し端部にバインド線等を巻き付けて引き留め、図１４に示すように、住宅等４の屋内線６に接続した後、前記作業用ロープ７を外す。
【０００７】
また、図示は省略したが、引込線の張替えは前記作業用ロープを外すときに既設の引込線に結びかえ、当該作業用ロープに引込線の張力を移し、その引込線をラックから外すために切断し、前記作業用ロープを緩めながらゆっくり既設の引込線を地上に下す。
【０００８】
この一連の作業を、上記制約があるため作業者が一人で行うしかない。梯子の上はバランスを崩すと態勢を直しづらい上、引込線を張り上げる角度により作業者の体にかかる張力が変わる。また、引込線の張力がかかった作業用ロープを仮止めするために引込点にあるラックに作業用ロープを縦方向に巻き付けるが、一番張力がかかった状態で巻き付けるため、力の要る大変な作業である。作業用ロープを仮止めするまでは、その作業用ロープには張力が掛かっているので持っている手をはなすことができない。また、バランスを崩した際に、作業用ロープが緩み、引込線が下に落ちてしまい、通行人にぶつかってしまう可能性もあった。
【０００９】
そこで、特許文献１及び特許文献２に記載されているような、張線器を用いて、引込線を引込点まで引っ張ることが考えられる。この場合、引込線をカムラー（掴線器）で把持し、当該カムラーを張線器で引き寄せるため、引込線を引込点まで引き込む作業者の労力が軽減される。
【００１０】
【特許文献１】実開平１−１０１７７５号公報
【特許文献２】特開２００６−１３０５９５号公報
【発明の開示】
【発明が解決しようとする課題】
【００１１】
しかしながら、一般に、張線器は引き込み幅が８０ｃｍ程度と小さく、引込箇所で引込線を地面から引っ張り上げるには引き込み幅が足らない。また、張線器で引込線を張り上げた後、引込線端部に作業用ロープを結び付け、当該作業用ロープをラックに巻き付けて仮止めし、この状態で引込線をラックに回して引き留めなければならず、作業工程が増える。従って、このような、張線器及びカムラーの使用は、引込線の架線工法には適さない。
【００１２】
そこで、この発明は、これらの従来技術に鑑み、梯子の上での低圧引込線の架線又は撤去作業の安全性及び作業性の向上が図れる架線工法、撤去工法及びこれらの工法に使用する装置を提供することを目的としたものである。
【課題を解決するための手段】
【００１３】
請求項１の発明は、低圧引込線を電力需要家の家屋等に引き込む架線工法において、引込線の端部に一端を結びつけた作業用ロープの他端を、引込点箇所まで梯子に登って引き上げ、当該箇所で、作業用ロープの他端を引込工具の滑車に巻き付け、前記引込工具の他端は引込点のラックに揺動自在に係止し、当該引込工具から導出した作業用ロープの他端部を引っ張って手繰り寄せ、作業用ロープ及びこれに続く引込線を前記ラックに近づけ、この状態で引込線の端部をラックに巻き付けて引き留める工法であって、前記引込工具は、前記滑車の回転軸を片持ち梁状に一側面で支持する支持プレートと、前記支持プレートの一側面に搖動可能に軸支され、前記滑車との間に前記作業用ロープを圧接固定可能な搖動圧接片と、前記回転軸の自由端側で前記滑車の外側面の少なくとも一部を被う位置へ離接可能となるように、前記支持プレートに搖動自在に軸支された搖動カバーとを備え、前記搖動圧接片は前記滑車に巻き付けた作業用ロープを引き込み方向にのみ移動規制する手段を有する構成とした、電力需要家への低圧引込線の架線工法とした。
【００１４】
また、請求項２の発明は、電力需要家の家屋等に引き込んだ低圧引込線を、撤去する工法において、ラックに引き留めた引込線に作業用ロープの一端を結んで、他端を引込工具に巻き付け、当該引込工具の端部は揺動自在に前記ラックに係止し、この状態でラックに引き留めていた引込線の端部を切断し、当該作業用ロープの他端部を引込工具から送り出して作業用ロープを伸ばし、引込線を地上に下ろす工法であって、前記引込工具は、前記滑車の回転軸を片持ち梁状に一側面で支持する支持プレートと、前記支持プレートの一側面に搖動可能に軸支され、前記滑車との間に前記作業用ロープを圧接固定可能な搖動圧接片と、前記回転軸の自由端側で前記滑車の外側面の少なくとも一部を被う位置へ離接可能となるように、前記支持プレートに搖動自在に軸支された搖動カバーとを備え、前記搖動圧接片は前記滑車に巻き付けた作業用ロープを引き込み方向にのみ移動規制する手段及び当該搖動圧接片の移動規制を解除する手段を有する構成とした、電力需要家への低圧引込線の撤去工法とした。
【００１５】
また、請求項３の発明は、請求項１又は２の工法に使用する引込工具であって、引込線に一端が連結された作業用ロープの他端を滑車に掛けて手繰り寄せるものであり、前記滑車の回転軸を片持ち梁状に一側面で支持する支持プレートと、前記支持プレートの一側面に搖動可能に軸支され、前記滑車との間に前記作業用ロープを圧接固定可能な搖動圧接片と、前記回転軸の自由端側で前記滑車の外側面の少なくとも一部を被う位置へ離接可能となるように、前記支持プレートに搖動自在に軸支された搖動カバーとを備えた、引込工具とした。
【００１６】
また、請求項４の発明は、前記滑車に巻き付けた作業用ロープの引込方向にのみ回転規制するラチェット機構を前記滑車に設け、前記滑車を回転させるための工具を係止する係止部を設けた、請求項３に記載の引込工具とした。
【００１７】
また、請求項５の発明は、低圧引込線を電力需要家の家屋等に引き込む架線工法において、引込線の端部に一端を結びつけた作業用ロープの他端を、引込点箇所まで梯子に登って引き上げ、当該箇所で、作業用ロープの他端を引込工具の滑車に巻き付け、前記引込工具の他端は引込点のラックに揺動自在に係止し、当該引込工具から導出した作業用ロープの他端部を引っ張って手繰り寄せ、作業用ロープ及びこれに続く引込線を前記ラックに近づけ、この状態で引込線の端部をラックに巻き付けて引き留める工法において使用する引込工具であって、当該引込工具は、前記滑車の回転軸を片持ち梁状に支持する支持プレートと、前記滑車の双方向のいずれかの回転を規制するラチェット機構と、前記支持プレートの一側面に軸支され、前記滑車との間に前記作業用ロープを圧接固定可能な圧接ローラと、前記回転軸の自由端側で前記滑車の外側面の少なくとも一部を被う位置へ離接可能となるように、前記支持プレートに搖動自在に軸支された搖動カバーとを備えた、引込工具とした。また、請求項６の発明は、電力需要家の家屋等に引き込んだ低圧引込線を、撤去する工法において、ラックに引き留めた引込線に作業用ロープの一端を結んで、他端を引込工具に巻き付け、当該引込工具の端部は揺動自在に前記ラックに係止し、この状態でラックに引き留めていた引込線の端部を切断し、当該作業用ロープの他端部を引込工具から送り出して作業用ロープを伸ばし、引込線を地上に下ろす工法において使用する引込工具であって、当該引込工具は、前記滑車の回転軸を片持ち梁状に支持する支持プレートと、前記滑車の双方向のいずれかの回転を規制するラチェット機構と、前記支持プレートの一側面に軸支され、前記滑車との間に前記作業用ロープを圧接固定可能な圧接ローラと、前記回転軸の自由端側で前記滑車の外側面の少なくとも一部を被う位置へ離接可能となるように、前記支持プレートに搖動自在に軸支された搖動カバーとを備えた、引込工具とした。
【００１８】
また、請求項７の発明は、前記回転軸と平行に、前記滑車から前記作業用ロープの介装可能な間隔を空けて前記支持プレートの一側面に片持ち梁状に支持されたガイドピンを備え、前記搖動カバーには、前記回転軸の自由端に係合可能な軸受部と、前記ガイドピンの自由端に係合可能なガイドピン受部とを有する、請求項３〜６のいずれかに記載の引込工具とした。
【００１９】
また、請求項８の発明は、少なくとも、前記滑車に対する、前記作業用ロープの他端側の接触状態及び離間状態の境界位置は、閉状態における前記搖動カバーにより被われている、請求項３〜７のいずれかに記載の引込工具とした。
【発明の効果】
【００２０】
請求項１の発明によれば、作業者はラックに予め引込工具の一端を係止しておき、作業用ロープを持って梯子に上がり、梯子の上で、引込工具の搖動カバーを開けて、横から作業用ロープを滑車に掛け、搖動カバーを閉めて、作業用ロープを引っ張ればよく、作業者は任意の箇所で作業用ロープの引き込みを止めても、作業用ロープはその状態で係止され、引込工具から反対方向に送り出されることはない。従って、作業用ロープの手繰り寄せが容易である。また、引込線の張力は、引込工具が受け、作業者が受けることはないので作業者は常に手を離せないというような大きな労力を要しない。さらに、従来の如く、作業用ロープをラックに仮止めする必要もなく、手繰り寄せた引込線をそのままラックに引き留めることが出来る。従って、低圧引込線の架線作業が迅速かつ容易に行えて作業性が良く、さらに安全性が高い工法である。
【００２１】
また、請求項２の発明によれば、作業者はラックに予め引込工具の一端を係止しておき、引込線に作業用ロープの一端を接続し、上述と同様に、当該作業用ロープの他端を引込工具の滑車に掛け、作業用ロープを引込方向にのみ移動規制する装置の移動規制を解除し、作業用ロープを引込工具から容易に送り出すことが出来き、引込線を安全に地上に下すことが出来る。従って、低圧引込線の撤去作業が迅速かつ容易に行えて作業性が良く、さらに安全性が高い工法である。
【００２２】
また、請求項３の発明によれば、滑車の回転軸の自由端側において、搖動する搖動カバーが近接して少なくとも滑車の外側面の一部を被う状態と、搖動カバーが滑車から離間する状態との２つの状態を取り得るので、作業用ロープに張力が生じている状態でも作業用ロープの途中から滑車に掛け、また、外すことが出来る。そして、搖動カバーを開放した状態及び閉じた状態のいずれの状態においても、搖動圧接片により作業用ロープを圧接固定することが出来る。これにより、作業用ロープを大きく取り回す際には、当該工具から作業用ロープを一旦外すことが出来るので、作業が容易になり、作業効率の向上を図ることが出来る。また、片持ち梁状の回転軸の先端が搖動カバーによって固定されるので、全体の剛性が向上し、作業用ロープの張力に対して生じる応力が緩和されて耐久性が増す。この引込工具を用いれば、引込線の架線作業や撤去作業の安全性が高まり、作業効率が向上する。
【００２３】
また、請求項４の発明によれば、作業用ロープを引込工具で手繰り寄せ、さらに、少しの幅だけ手繰り寄せたい場合、手で作業用ロープを引っ張ると、引き込み幅が大きくなるが、滑車にラチェット機構を設けたため、当該滑車を手で、又は工具で回して、引込幅を微調整することができる。従って、より作業性が向上する。
【００２４】
また、請求項５及び６の発明によれば、滑車の双方向の回転を規制するラチェット機構と、前記滑車との間に前記作業用ロープを圧接固定可能な圧接ローラを設けたため、引込線の架線作業で作業用ロープを引き込む場合も、また、撤去作業で作業用ロープを繰り出す場合も、引き込み又は送り出し速度をゆっくりでき、作業がより確実かつ安全である。
【００２５】
また、請求項７の発明によれば、作業用ロープが介装可能な空間を設けたガイドピンが滑車の近傍に配置されるので、作業用ロープの脱落を防止して、作業用ロープを滑車上に良好な状態で案内し、安定して操作することが出来る。また、搖動カバーがガイドピンの自由端にも係合し、固定されるので、さらに剛性が増す。このため、支持プレートの反りを防止することが出来、滑車の耐久性を向上させることが出来る。
【００２６】
また、請求項８の発明によれば、少なくとも、滑車への巻き込みが始まる作業用ロープの他端側領域が搖動カバーで被われているので他端側が引込線に引っ張られる際、作業者の手などが巻き込まれることを防止できる。
【図面の簡単な説明】
【００２７】
【図１】この発明の実施例１の架線工法における引込線の引き込み前の状態を示す概略側面図である。
【図２】この発明の実施例１の架線工法における引込線の引き込み状態を示す概略側面図である。
【図３】この発明の実施例１の撤去工法において引込線を作業用ロープ及び引込工具で支持した状態を示す概略側面図である。
【図４】この発明の実施例１の架線、撤去工法に使用する引込工具の斜視図である。
【図５】この発明の実施例１の架線、撤去工法に使用する引込工具の搖動カバーを開いた状態を示す斜視図である。
【図６】この発明の実施例１の架線、撤去工法に使用する引込工具の滑車周辺を示す側面図である。
【図７】この発明の実施例１の架線、撤去工法に使用する引込工具の搖動カバーを開けた状態の側面図である。
【図８】この発明の実施例１の架線、撤去工法に使用する引込工具の搖動カバーを開けて、搖動圧接片の圧接を解除してロックした状態を示す側面図である。
【図９】この発明の実施例１の架線、撤去工法に使用する引込工具の搖動カバーの閉状態でのロック状態を示す側面図である。
【図１０】この発明の実施例１の架線、撤去工法に使用する引込工具の他の例を示す要部平面図である。
【図１１】この発明の実施例１の架線、撤去工法に使用する引込工具の他の例を示すラチェット部分の説明側面図である。
【図１２】この発明の実施例１の架線、撤去工法に使用する引込工具のさらに他の例を示すラチェット部分の説明側面図である。
【図１３】この発明を使用する引込線箇所の側面図である。
【図１４】この発明を使用する引込線の引込点箇所の拡大要部側面図である。
【図１５】従来の引込線の架線工法の第１工程を示す側面図である。
【図１６】従来の引込線の架線工法の第２工程を示す側面図である。
【図１７】従来の引込線の架線工法の第３工程を示す要部側面図である。
【図１８】従来の引込線の架線工法の第４工程を示す要部側面図である。
【発明を実施するための形態】
【００２８】
この発明は、低圧引込線を電力需要家の家屋等に引き込む架線工法において、引込線の端部に一端を結びつけた作業用ロープの他端を、引込点箇所まで梯子に登って引き上げ、当該箇所で、作業用ロープの他端を引込工具の滑車に巻き付け、前記引込工具の他端は引込点のラックに揺動自在に係止し、当該引込工具から導出した作業用ロープの他端部を引っ張って手繰り寄せ、作業用ロープ及びこれに続く引込線を前記ラックに近づけ、この状態で引込線の端部をラックに巻き付けて引き留める工法であって、前記引込工具は、支持プレートの一側面に片持ち式の滑車を回転自在に設け、当該滑車に巻きつけた作業用ロープを引込方向にのみに移動規制する装置を有し、前記滑車の外側面の少なくとも一部を被う搖動カバーを開閉自在に前記支持プレートの一側面に軸支した構成とした、引込線の架線工法である。
【００２９】
これにより、梯子の上での低圧引込線の架線又は撤去作業の安全性及び作業性の向上が図れる。
【実施例１】
【００３０】
以下、この発明の実施例１を図に基づいて説明する。まず、この発明の引込線の架線及び撤去工法に使用する引込工具Ａについて説明する。
【００３１】
図４は、引込工具Ａの斜視図である。引込工具Ａは、支持プレート１０の一側面から片持ち梁状の状態で固定された回転軸１１を中心として滑車１２が回転自在に取り付けられている。図４では、この滑車１２に作業用ロープ７が掛けられた使用状態が示されている。
【００３２】
一方、滑車１２と並んで、搖動圧接片１３が設けられている。この搖動圧接片１３は、支持プレート１０に対して搖動可能に軸支されている。この搖動圧接片１３は、下方側から滑車１２に対して離接可能に搖動する。図４では詳細な構成については示されていないが、搖動圧接片１３には、滑車１２側に付勢する付勢手段（例えば、支持する軸に設けられるコイルばね等）が備えられている。また、搖動圧接片１３の滑車１２に面する側にはグリップ部１３ａが形成されている。これにより、滑車１２に作業用ロープ７が掛けられた状態で搖動圧接片１３を解放し、前記付勢手段の付勢に任せると、搖動圧接片１３と滑車１２との間に作業用ロープが挟持される。
【００３３】
この挟持状態では、作業用ロープ７を下方の他端７ａ側へ引き寄せることはできるが、逆に、引込線３と接続された一端７ｂ側には、グリップ１３ａが食い込むので、移動不可能な状態と成る。
【００３４】
そして、滑車１２の上方には、回転軸１１と同様に、支持プレート１０の一側面に対して片持ち梁状の状態でガイドピン１４が固定されている。このガイドピン１４は、滑車１２の上側との間に作業用ロープ７を介装可能な程度に間隔を空けて設けられている。これにより、張力の生じた作業用ロープ７の一端７ｂ側が伸びる方向に対して、引込工具Ａの配置姿勢が変化した場合であっても、良好な状態で安定して滑車１２に作業用ロープ７が掛かった状態を保持することが可能となる。
【００３５】
なお、図４の構成には設けられていないが、搖動圧接片１３が滑車１２から離間した状態をロックすることが出来、また、滑車１２に作業用ロープ７を掛けた後、解除できるようなロック機構（後述）を設けておくと、作業効率が向上する。
【００３６】
次に、この引込工具Ａの動作を図５について説明する。図５では、図４の引込工具Ａにおいて搖動カバー１５が開かれた時の状態が示されている。搖動カバー１５は、前記支持プレート１０の一側面に対して搖動自在に軸支されている。また、この搖動カバー１５の自由端側面にはハンドル１６が設けられ、作業者はこのハンドル１６を持って片手でも搖動カバー１５を開閉できる。
【００３７】
図５に示したように、滑車１２の側方の搖動カバー１５は下方に回動し、滑車１２の側方を開放するので、作業用ロープ７を伸ばして電線等の端部を引き寄せる際、引込工具Ａを作業用ロープ７から分離させることが出来る。このため、滑車１２を回転させて長さを調節しながら作業用ロープ７を取り回す必要がない。すなわち、作業用ロープ７を大きく取り回したい場合は、作業用ロープ７を引込工具Ａから取り外すことが出来るので、作業効率が飛躍的に向上する。
【００３８】
そして、搖動カバー１５は滑車１２の回転軸１１の自由端１１ａとガイドピン１４の自由端１４ａとをそれぞれ、軸受部１５ａ及びガイドピン受部１５ｂにおいて係合して固定するので、大きい張力が滑車１２に加わった場合であっても、片持ち梁状に固定された回転軸１１が引き寄せられて、支持プレート１０が外側に反ってしまうようなことはない。さらに、作業用ロープ７の引き寄せ、又は繰り出し時における安全性の向上をも図ることが可能である。これについては図６で説明する。
【００３９】
図６は、引込工具Ａの滑車１２の周辺の側面図であり、滑車１２の下方側面が、搖動カバー１５により保護されている。すなわち、作業用ロープ７が滑車１２から離間又は当接の状態に入れ替わる境界位置である隙間１７及び１８の部分に触れることが出来ないように、滑車１２の一部が搖動カバー１５により被われている。これにより、作業用ロープ７を引込線側に送り出すときに隙間１７に作業者が手などを巻き込まれることを防止できる。同様に、作業用ロープ７を手元に手繰り寄せる際には、隙間１８への巻き込みを防止することが可能である。
【００４０】
なお、上記実施例では滑車１２の側面のうち、搖動カバー１５により下方の一部が被われている構成を示したが、少なくとも、滑車１２に対して作業用ロープ７が離間状態から接触状態に変わる境界位置を保護していれば、作業者が手などを巻き込まれることを防止できる。また、上記実施例では、滑車７の上方にガイドピン１４が設けられている構成を示したが、作業用ロープ７の脱落を防止できる位置であれば、上方でなくても良い。
【００４１】
また、図７は、前記搖動圧接片１３の開放状態をロックするロック機構１９を示す。前記支持プレート１０の一側面にロック機構１９は設けられ、つまみ２０を有する係止片２１は、枠体１９ａ内で摺動自在に設けられ、常時は、ばね２２の付勢により、係止片２１は枠体１９ａの一側に突出し、前記搖動圧接片１３を押圧している。
【００４２】
また、搖動圧接片１３の外周に設けた係止溝１３ｂが、回転してくると、図８に示すように、係止溝１３ｂに前記ロック機構１９の係止片２１がばね２２の力により挿入される。これにより、搖動圧接片１３は、滑車１２から離れた位置で、ロック固定される構成となっている。当該ロックを解除するには、つまみ２０をばね２２の力に抗して引けば、係止片２１が搖動圧接片１３の係止溝１３ｂから外れ、搖動圧接片１３は、コイルばね等の付勢手段の力で、図８において、時計方向に回転し、滑車１２の外周に圧接する。
【００４３】
また、図９は、前記搖動カバー１５の閉鎖状態をロックする搖動カバーロック機構２３を示す。当該搖動カバーロック機構２３は、前記ロック機構１９と略同じ構成であり、つまみ２４が係止片２５に設けられ、当該係止片２５はばね２６の力で常時、図９の左側に行くよう付勢され、搖動カバー１５に設けた係止溝２７に嵌合している。
【００４４】
従って、つまみ２４を図９の右側方向に引くと、ロックが解除され、前記係止片２５が搖動カバー１５の係止溝２７から外れ、この状態で、搖動カバー１５を図９において、反時計方向に回して開くことが出来る。
【００４５】
次にこの引込工具Ａを使った引込線の架線工法を説明する。
【００４６】
まず、図１に示すように、電力需要家の家屋等４の壁４ａに設けたラック５に引込工具Ａの一端をロープ２８を介して搖動自在に係止する。そして、前記従来例の図１５及び図１６に示すように引込線３の端部に一端を結びつけた作業用ロープ７の他端を、引込点２箇所まで梯子８に登って引き上げ、当該箇所で、図４に示すように、作業用ロープ７の他端を引込工具Ａの滑車１２に巻き付ける。
【００４７】
これには、図５に示すように、搖動カバー１５を開き、滑車１２に側面から作業用ロープ７を掛けることが出来る。その際、搖動圧接片１３の付勢手段の力に抗して搖動圧接片１３を引っ張り、滑車１２から離した状態で、前述のように、ロック機構１９でロックし、滑車１２に作業用ロープ７を掛ける。その後ロック機構１９のロックを解除すると、付勢手段により搖動圧接片１３は作業用ロープ７を圧接する。そして、搖動カバー１５を閉じる。この様に搖動カバー１５を閉じることにより、搖動カバーロック機構２３が作動して、搖動カバー１５は閉じた状態でロックされる。
【００４８】
そして、図２に示すように、当該作業用ロープ７の他端部を引っ張って手繰り寄せ、作業用ロープ７及びこれに続く引込線３を前記ラック５に近づけ、お互いの距離の微調整をし、この状態で引込線３の端部をラック５に巻き付けて作り込みをする。その後、作業用ロープ７を引込線３と引込工具Ａから外し、また、ラック５から引込工具Ａを外す。これにより引込線３の架線作業が終了する。
【００４９】
また、引込線３の撤去工法においては、ラック５に引込線３が引き留められた状態において、図３に示すように、引込工具Ａの一端を前記ロープ２８を介してラック５に搖動自在に係止し、前記引込線３に作業用ロープ７の一端を繋ぎ、他端を前記引込工具Ａの滑車１２に掛け、引込線３の張力を作業用ロープ７に預ける。この状態で引込線３の端部を切断する。その後、引込工具Ａの搖動圧接片１３をコイルばね等の付勢手段の力に抗して回転させ、滑車１２から離し、この状態をロック機構１９でロックする。
【００５０】
これにより作業用ロープ７及び滑車１２はフリーになり、作業者はゆっくり作業用ロープ７を引込工具Ａから送り出し、引込線３は地面に下される。その後、作業用ロープ７を引込線３から外し、また、作業用ロープ７を引き上げ引込工具Ａから外し、引込工具Ａをラック５から外す。この様にして、引込線３の撤去作業が終了する。
【００５１】
次に、前記引込工具Ａの変形例である引込工具Ｂを図１０及び図１１に示す。この引込工具Ｂは、滑車１２の一側にラチェット機構３０を設け、また、滑車１２と回転軸３１が一体なものとなっており、回転軸３１が支持プレート１０の一側に片持ち梁状に回転自在に軸支されている。前記ラチェット機構３０は、ラチェット歯車３０ａが滑車１２の側面に設けられ、ラチェット爪３０ｂが前記支持プレート１０に設けられている。
【００５２】
そして前記回転軸３１の自由端にはボルト頭３２が設けられている。このボルト頭３２に工具を被せて滑車１２を、前記作業用ロープ７の引込方向にのみ回転させることができる。従って、作業者が作業用ロープ７を手で手繰り寄せた後、工具又は手で滑車１２を回転させ、作業用ロープ７を少しずつ引き込むことができる。従って作業用ロープ７の微調整が行える。他の構成は引込工具Ａと同じである。
【００５３】
また、図１２は、引込工具Ｃを示すもので、上記引込工具Ｂと同様にラチェット機構３０を備えており、前記引込工具Ａ又はＢの搖動圧接片１３の代わりに、滑車１２を常時押圧する押圧ローラ３３を設けている。
【００５４】
この場合、ラチェット機構３０は、双方向のどちらでもラチェット爪３０ｂを変換でき、滑車１２は時計方向でも、反時計方向の回転でもラチェット効果を有するものである。また、押圧ローラ３３により、滑車１２に掛けられた作業用ロープ７は滑車１２に押し付けられ、回転制動がかかる。
【００５５】
従って、引込線を引き込む場合も、また、撤去する場合も、作業用ロープ７をゆっくりと引き込み、又は送り出すことが出来る。
【００５６】
なお、これらの引込工具Ａ、Ｂ及びＣは、この様な引込線の架線作業や撤去作業に限らず、変圧器等の機材の引き上げなどの際、ロープの引き込み、送り出しに幅広く使用できるものである。
【符号の説明】
【００５７】
Ａ、Ｂ、Ｃ          引込工具            
１      電柱                        ２      引込点
３      引込線                      ４      家屋等
４ａ    壁                          ５      ラック
６      屋内線                      ７      作業用ロープ
７ａ    他端                        ７ｂ    一端
８      梯子                        
１０    支持プレート                １１    回転軸
１１ａ  自由端                      １２    滑車
１３    搖動圧接片                  １３ａ  グリップ部
１３ｂ  係止溝                      １４    ガイドピン  
１４ａ  自由端                      １５    搖動カバー
１６    ハンドル                    １７    隙間
１８    隙間                        １９    ロック機構
２０    つまみ                      ２１    係止片
２２    ばね                        ２３    搖動カバーロック機構
２４    つまみ                      ２５    係止片
２６    ばね                        ２７    係止溝
３０    ラッチェット機構            ３０ａ    ラッチェット歯車
３０ｂ  ラッチェット爪              ３１      回転軸
３２    ボルト頭                    ３３      押圧ローラ
【図１】
0005908774.tif 000002
【図２】
0005908774.tif 000003
【図３】
0005908774.tif 000004
【図４】
0005908774.tif 000005
【図５】
0005908774.tif 000006
【図６】
0005908774.tif 000007
【図７】
0005908774.tif 000008
【図８】
0005908774.tif 000009
【図９】
0005908774.tif 000010
【図１０】
0005908774.tif 000011
【図１１】
0005908774.tif 000012
【図１２】
0005908774.tif 000013
【図１３】
0005908774.tif 000014
【図１４】
0005908774.tif 000015
【図１５】
0005908774.tif 000016
【図１６】
0005908774.tif 000017
【図１７】
0005908774.tif 000018
【図１８】
0005908774.tif 000019